(57)【要約】【課題】セキュリティを向上できる無線通信可能なネットワーク装置を提供する。【解決手段】無線ＬＡＮカード２４を介して無線ＬＡＮ接続によりネットワーク接続されるネットワークプロジェクタ１において、ＩＰアドレスを含むパスワードを作成して、スクリーン２ａ上に投影またはＩｒＤＡ部２３による赤外線通信によってパスワードを送信する。ユーザは取得したパスワードを付加して画像データをネットワークプロジェクタ１のＩＰアドレスに送信すると、ネットワークプロジェクタ１がパスワードを判別して画像を表示する。【選択図】　　　図２
2004118488.tif 000002
【特許請求の範囲】
【請求項１】
非光学的な無線通信により情報通信を行う第１通信手段によってネットワーク接続されるネットワーク装置において、パスワードを作成するパスワード作成手段と、前記パスワードを光学的に無線伝達する第２通信手段とを備え、返信されたパスワードを認証して操作を許可することを特徴とするネットワーク装置。
【請求項２】
ネットワーク装置の起動時に前記パスワード作成手段によりパスワードを作成することを特徴とする請求項１に記載のネットワーク装置。
【請求項３】
第２通信手段は可視光によることを特徴とする請求項１または請求項２に記載のネットワーク装置。
【請求項４】
プロジェクタから成ることを特徴とする請求項１〜請求項３のいずれかに記載のネットワーク装置。
【請求項５】
非光学的な無線通信により情報通信を行う第１通信手段によってネットワーク接続されるネットワーク装置において、パスワードを作成するパスワード作成手段と、パスワードの送信を要求する信号を光学的な無線通信により受信する第２通信手段とを備え、送信後返信されたパスワードを認証して操作を許可することを特徴とするネットワーク装置。
【発明の詳細な説明】
【０００１】
【発明の属する技術分野】
本発明は、無線通信手段によりネットワーク接続されるネットワーク装置に関する。
【０００２】
【従来の技術】
ネットワーク接続されるネットワーク装置は通信手段を有し、互いに相手側のネットワーク装置を認証して通信が確立される。非特許文献１には従来の無線通信可能なネットワーク装置が開示されている。非特許文献１によると、ＰＤＡ（Ｐｅｒｓｏｎａｌ　Ｄｉｇｉｔａｌ　Ａｓｓｉｓｔａｎｃｅ）　とＰＨＳ（Ｐｅｒｓｏｎａｌ　Ｈａｎｄｙｐｈｏｎｅ　Ｓｙｓｔｅｍ）に同じパスワードを入力し、一方から送信されたパスワードを受信側で比較して認証が行われる。これにより、相手側のネットワーク装置にアクセスできるようになっている。
【０００３】
【非特許文献１】
坪山博貴，”Ｂｌｕｅｔｏｏｔｈ　ＳＤカードとＢｌｕｅｔｏｏｔｈ内蔵ＰＨＳつないでみました。”，　［ｏｎｌｉｎｅ］，　２００２年１月１７日，　ＺＤＮｅｔ／ＪＡＰＡＮ，　［平成１４年８月２８日検索］，　インターネット＜ＵＲＬ：ｈｔｔｐ：／／ｗｗｗ．ｚｄｎｅｔ．ｃｏ．ｊｐ／ｍｏｂｉｌｅ／０２０１／１７／ｎ＃ｐｂｔｇｂｔ＃３．ｈｔｍｌ＞
【０００４】
【発明が解決しようとする課題】
しかしながら、上記の従来のネットワーク装置によると、パスワードを送受信する際に上記非特許文献１に示されるＢｌｕｅｔｏｏｔｈ　（ＴＭ）規格では通信距離が約１０ｍになっている。このため、例えば壁を挟んだ隣室からパスワードを受信することが可能になっている。これにより、他のネットワーク機器により受信したパスワードを利用して他人がネットワーク装置にアクセスすることができる。従って、ネットワーク装置のデータの改竄や漏洩のおそれがあり、セキュリティが低い問題があった。
【０００５】
また、無線ＬＡＮにより通信を行うネットワーク装置間では、無線ＬＡＮ規格による通信距離は５０ｍ〜１００ｍである。このため、屋外からでもパスワードを受信することができ、更にセキュリティが低くなる問題があった。
【０００６】
本発明は、セキュリティを向上できる無線通信可能なネットワーク装置を提供することを目的とする。
【０００７】
【課題を解決するための手段】
上記目的を達成するために本発明は、非光学的な無線通信により情報通信を行う第１通信手段によってネットワーク接続されるネットワーク装置において、パスワードを作成するパスワード作成手段と、前記パスワードを光学的に無線伝達する第２通信手段とを備え、返信されたパスワードを認証して操作を許可することを特徴としている。
【０００８】
この構成によると、ネットワーク装置はパスワード作成手段により作成されたパスワードを赤外線や投影等から成る第２通信手段によって光学的に無線伝達する。ネットワーク装置は他のネットワーク装置により返信されたパスワードを認証して操作を許可する。これにより、ネットワーク装置は第１通信手段によって他のネットワーク装置からアクセス可能になる。
【０００９】
また本発明は、上記構成のネットワーク装置において、ネットワーク装置の起動時に前記パスワード作成手段によりパスワードを作成することを特徴としている。この構成によると、ネットワーク装置の起動毎に前回作成したパスワードが破棄され、新たなパスワードを用いなければアクセスができなくなる。
【００１０】
また本発明は、上記構成のネットワーク装置において、第２通信手段は可視光によることを特徴としている。この構成によると、ユーザは投影によりスクリーン上等に映し出されたパスワードを視認し、パスワードをネットワーク装置に返信してアクセスが許可される。
【００１１】
また本発明は、上記構成のネットワーク装置において、プロジェクタから成ることを特徴としている。
【００１２】
また本発明は、非光学的な無線通信により情報通信を行う第１通信手段によってネットワーク接続されるネットワーク装置において、他のネットワーク装置の操作の許可を得るためのパスワードを要求する信号を光学的に無線伝達する第２通信手段を備えたことを特徴としている。
【００１３】
この構成によると、ネットワーク装置はアクセスの許可を得るパスワードの要求信号を赤外線等の光学的な第２通信手段によって受信する。ネットワーク装置はパスワードを作成し、パスワードの要求元に送信する。ユーザは受け取ったパスワードをネットワーク装置に返信してパスワードの認証により操作が許可される。これにより、ネットワーク装置は第１通信手段によってパスワードを送信したネットワーク装置からアクセス可能になる。
【００１４】
【発明の実施の形態】
以下に本発明の実施形態を図面を参照して説明する。図１は第１実施形態のネットワーク装置であるネットワークプロジェクタを示す概略斜視図である。ネットワークプロジェクタ１はプロジェクタ部２及び書画カメラ３から成っている。
【００１５】
プロジェクタ部２はスクリーン２ａ及び投影部２ｂを有している。投影部２ｂはスクリーン２ａの中央上部に配置され、スクリーン２ａに映像を投影する。書画カメラ３は投影部２ｂ内に配置され、スクリーン２ａ上の画像を撮影する。尚、スクリーン２ａの下方には、プロジェクタ部２及び書画カメラ３を操作する操作部４が設けられている。
【００１６】
図２はネットワークプロジェクタ１の構成を示すブロック図である。プロジェクタ部２には各種演算を行ってプロジェクタ部２の動作を制御するＣＰＵ２１が設けられている。ＣＰＵ２１には、スイッチ２２、ＩｒＤＡ受信部２３、無線ＬＡＮカード２４、有線ＬＡＮカード２５、駆動部３４が接続されている。
【００１７】
パスワードをスクリーン２ａに投影する「パスワード表示」ボタン等から成るスイッチ２２は操作部４に設けられ、使用者の操作に応じた信号がＣＰＵ２１に送られる。ＩｒＤＡ通信部２３は、ＩｒＤＡ（Ｉｎｆｒａｒｅｄ　Ｄａｔａ　Ａｓｓｏｃｉａｔｉｏｎ）規格による赤外線通信の信号を通信する。無線ＬＡＮカード２４は無線ＬＡＮ規格によるネットワーク接続を行って無線通信を行う。有線ＬＡＮカード２５はＬＡＮケーブルで接続された機器間でネットワーク接続を行って有線通信を行う。
【００１８】
本実施形態では、ＩｒＤＡ通信部２３によってパスワードの送受信を行うとともに、無線ＬＡＮカード２４及び有線ＬＡＮカードを介して画像データ等のデータの送受信を行うようになっている。
【００１９】
画像メモリ２９はＲＡＭから成り、無線ＬＡＮ及び有線ＬＡＮにより受信した画像データを保存する。画像データは画像メモリ２９に接続されたスケーラ３０によってサイズ変更できるようになっている。また、画像メモリ２９にはプログレッシブ変換部２８を介してアナログＲＧＢデコーダ２６及びＮＴＳＣ／ＰＡＬデコーダ２７が接続されている。
【００２０】
アナログＲＧＢデコーダ２６及びＮＴＳＣ／ＰＡＬデコーダ２７は映像機器に接続され、アナログＲＧＢ信号またはＮＴＳＣ／ＰＡＬ信号が入力される。アナログＲＧＢデコーダ２６はアナログＲＧＢ信号のＡ／Ｄ変換を行ってデジタルビデオ信号に変換する。ＮＴＳＣ／ＰＡＬデコーダ２７はＮＴＳＣ／ＰＡＬ信号のＡ／Ｄ変換を行ってデジタルビデオ信号に変換する。プログレッシブ変換部２８はデジタルビデオ信号をノンインターレースデジタル画像に変換する。
【００２１】
駆動部３４には表示素子３３が接続されている。表示素子３３は液晶表示素子から成り、画像メモリ２９から受け取った画像データに応じて表示素子３３の各画素が駆動部３４によりスイッチングされる。表示素子３３には光源３１から色分解部３２を介してＲＧＢの各光束が照射される。各光束は表示素子３３を透過して投影レンズ３５によってスクリーン２ａ上に画像が投影される。
【００２２】
書画カメラ３には、プロジェクタ部２のＣＰＵ２１に接続されるとともに、各種演算を行って書画カメラ３の動作を制御するＣＰＵ１０が設けられている。ＣＰＵ１０には、メモリ１４、カードドライバ１５、スイッチ１６、測距部１７、測光部１８、Ａ／Ｄ変換部９、ＣＣＤ駆動部１１、絞り駆動部１２、レンズ駆動部１３が接続されている。
【００２３】
メモリ１４はＲＯＭ及びＲＡＭから成り、書画カメラ３の動作プログラムが格納されるとともに演算の一時記憶を行う。カードドライバ１５はメモリカード１９をＣＰＵ１０に認識させて書画カメラ３に接続可能にする。メモリカード１９はスマートメディア（Ｒ）等から成り、書画カメラ３により撮影した画像データを保存する。
【００２４】
書画カメラ３により撮影を行う「撮影」ボタン等から成るスイッチ１６は操作部４に設けられ、使用者の操作に応じた信号がＣＰＵ１０に送られる。測距部１７及び測光部１８は被写体となるスクリーン２ａの距離や光量を検出する。レンズ駆動部１３は測距部１７の検知結果に基づいて撮影レンズ５を駆動する。絞り駆動部１２は測光部１８の検知結果に基づいて絞り６を駆動する。
【００２５】
これにより、ＣＣＤ駆動部１１によって駆動されるＣＣＤ７上に被写体像が形成される。Ａ／Ｄ変換部９はアンプ８を介してＣＣＤ７に接続されている。ＣＣＤ７で受光した被写体像は電気信号に変換され、アンプ８により増幅してＡ／Ｄ変換部９でＡ／Ｄ変換される。
【００２６】
上記構成のネットワークプロジェクタ１において、ネットワークプロジェクタ１の電源が入れられると、ＣＰＵ２１により図３の動作プログラムが起動される。動作プログラムのステップ＃１１ではパスワードが生成され、ＣＰＵ２１、１０を介してメモリ１４に記憶される。パスワードは例えば乱数を発生してネットワークプロジェクタ１に割り当てられたＩＰアドレスと組み合わせて生成される。
【００２７】
ステップ＃１２では生成されたパスワードが投影部２ｂによってスクリーン２ａ上に投影される。これにより、ユーザーはスクリーン２ａを視認してパスワードを取得することができる。ステップ＃１３ではイベントの発生を待機する。ユーザーによる所定の操作が行われるとイベントが発生して各イベントに応じた動作が行われる。
【００２８】
ユーザーは無線ＬＡＮカード２４を介してネットワークプロジェクタ１に無線ＬＡＮ接続されるパーソナルコンピュータ（以下「パソコン」という）によりネットワークプロジェクタ１を操作できる。パソコンにはプロジェクタ投影ユーティリティがインストールされている。
【００２９】
パソコンのプロジェクタ投影ユーティリティを起動すると、図４に示すプロジェクタ投影画面が表示される。プロジェクタ投影画面４０にはパスワード入力部４１が設けられる。ユーザはスクリーン２ａ上に投影されたパスワードをパスワード入力部４１に入力する。投影を開始する「開始」ボタン４３をマウス等で選択すると、プロジェクタ投影ユーティリティは所定間隔でパソコンの表示画面をキャプチャーする。
【００３０】
キャプチャーした画像データは例えばＪＰＥＧ形式に圧縮され、パスワードを付加して無線ＬＡＮ経由でプロジェクタのＩＰアドレスに送信される。指定されたＩＰアドレスにデータを送信するので、無線ＬＡＮで送信しても他人にデータを取得される危険が少なくなっている。また、ＩＰアドレスはパスワードに含まれるため、パスワードの入力のみでデータの送信先も設定したことになる。画像データを有線ＬＡＮ経由で送信しても良い。
【００３１】
ネットワークプロジェクタ１は画像データを受信するとステップ＃２１に移行する。ステップ＃２１では発行したパスワードと受信したパスワードとが比較される。ステップ＃２２では両者が一致しているか否かが判断される。両者が一致しているとステップ＃２３に移行し、ステップ＃１２で投影されたパスワードの投影が停止される。
【００３２】
そして、ステップ＃２４で投影部２ｂによって受信した画像がスクリーン２ａ上に表示され、ステップ＃１３に戻る。ステップ＃２２でパスワードが一致していない場合は画像を表示せずにステップ＃１３に戻る。また、「停止」ボタン４４を選択すると、スクリーン２ａの画像の投影を停止することができる。
【００３３】
前述の図４において、「ＩｒＤＡ経由で取得」ボタン４２を選択すると、ＩｒＤＡによってパスワードを要求する信号がパソコンから送信される。ネットワークプロジェクタ１はパスワードを要求する信号をＩｒＤＡ通信部２３で受信すると、ステップ＃１３のイベント待機状態からステップ＃３１に移行する。
【００３４】
そして、ネットワークプロジェクタ１のＩｒＤＡ通信部２３からパスワードが送信される。ＩｒＤＡ規格による通信は赤外線を使用するため壁等を隔てた隣室等では通信できず、パスワードを取得することができない。パソコンのプロジェクタ投影ユーティリティはパスワードを受信するとパスワード入力部に自動的にパスワードを入力してステップ＃１３に戻る。これにより、ユーザ操作の簡略化が図られる。
【００３５】
操作部４に設けられた「パスワード表示」ボタン（不図示）を押下すると、ネットワークプロジェクタ１はステップ＃１３のイベント待機状態からステップ＃４１に移行する。ステップ＃４１ではパスワードがスクリーン２ａ上に投影され、表示画像にオーバーレイして表示される。これにより、ステップ＃１２でスクリーン２ａに投影されたパスワードを認識できなかったユーザがパスワードを取得することができる。
【００３６】
ステップ＃４２では操作部４に設けられた「停止」ボタン（不図示）を押下するまで待機し、「停止」ボタンが押下されるとステップ＃４３に移行する。ステップ＃４３ではパスワードの投影が停止され、ステップ＃１３に戻る。
【００３７】
操作部４に設けられた「撮影」ボタン（不図示）が押下されると、ネットワークプロジェクタ１はステップ＃１３のイベント待機状態からステップ＃５１に移行する。ステップ＃５１では画像の投影が停止され、白色光によってスクリーンを投影する。これにより、スクリーン２ａ上に記載されたマーカーの画像のみの画像データを得ることができるとともに、撮影時にスクリーン２ａを均一に照明することができる。従って、シェーディングの少ないマーカー書き込み画像を得ることができる。
【００３８】
ステップ＃５２では書画カメラ３によってスクリーン２ａが撮影される。ステップ＃５３では投影が停止された画像の画像データが画像メモリ２９から取り出され、撮影された画像データと合成される。
【００３９】
ステップ＃５４では合成された画像データが暗号化される。暗号化は画像データに上記のパスワードを用いて行われ、同じパスワードによって暗号化を解除できるようになっている。ステップ＃５５では暗号化されたファイルがカードドライバ１５を介してメモリカード１９に保存され、ステップ＃１３に戻る。
【００４０】
ステップ＃１３のイベント待機状態から操作部４の「電源ＯＦＦ」ボタンを押下するとステップ＃６１に移行する。ステップ＃６１ではステップ＃１１で作成したパスワードがメモリ１４から破棄される。そして、ネットワークプロジェクタ１の電源が切断される。
【００４１】
メモリカード１９に保存された画像データはユーザのパソコンに接続して取り出すことができる。図５は、パソコンにインストールされた書画カメラ画像暗号化解除ユーティリティの暗号解除画面である。暗号解除画面５０にはパスワード入力部５１、画像ファイル生成先フォルダ入力部５２、書画カメラ画像ファイル入力部５４が設けられる。
【００４２】
パスワード入力部５１には、画像データを暗号化した際に含まれたパスワードを入力する。画像ファイル生成先フォルダ入力部５２は暗号解除した画像データの保存先フォルダを入力する。選択ボタン５３の操作により一覧から選択して入力することもできる。
【００４３】
書画カメラ画像ファイル入力部５４は、メモリカード１９から取り出す画像ファイルのファイル名を入力する。選択ボタン５５の操作により一覧から選択して入力することもできるようになっている。
【００４４】
上記各入力部（５１、５２、５４）に入力後、開始ボタン５６を操作すると、暗号化されたファイルに含まれるパスワードと入力されたパスワードとが比較される。これらが一致すると指定したフォルダに暗号化を解除した画像ファイルが保存される。
【００４５】
これにより、ユーザは書画カメラ３で撮影した画像データを取扱うことができるようになっている。尚、ネットワークプロジェクタ１が起動中の場合は、ネットワークプロジェクタ１に接続されるメモリカード１９内の画像データを無線ＬＡＮまたは有線ＬＡＮにより上記と同様に取り出すことができる。
【００４６】
本実施形態によると、ネットワークプロジェクタ１の起動時に作成されるパスワードはスクリーン２ａへの可視光による投影やＩｒＤＡ通信による送信等の光学的な無線伝達手段（第２通信手段）によりユーザに伝達される。そして、画像データは無線ＬＡＮ等の非光学的な無線通信（第１通信手段）により送受信される。このため、画像データ等を高速に送受信できるとともに壁等を隔てた隣室からパスワードを傍受されない。従って、使用性を低下させずにネットワークプロジェクタ１のセキュリティを向上させることができる。
【００４７】
また、パスワードはネットワークプロジェクタ１の起動時に生成して終了時に破棄される。このため、ネットワークプロジェクタ１の起動中に第２通信手段によりパスワードを取得したユーザのみがメモリカード１９に保存された画像データを取り出すことができる。従って、セキュリティをより向上させることができる。パスワードの生成時に前回のパスワードの破棄を行ってもよい。
【００４８】
次に、図６は第２実施形態のネットワーク装置であるデジタルカメラと周辺機器の構成を示すブロック図である。デジタルカメラ１０３には各種演算を行ってデジタルカメラ１０３の動作を制御するＣＰＵ１１０が設けられている。ＣＰＵ１１０には、メモリ１１４、カードドライバ１１５、スイッチ１１６、測距部１１７、測光部１１８、Ａ／Ｄ変換部１０９、ＣＣＤ駆動部１１１、絞り駆動部１１２、レンズ駆動部１１３、ＬＣＤ１２０、無線ＬＡＮユニット１２１、ＩｒＤＡ通信部１２３が接続されている。
【００４９】
メモリ１１４はＲＯＭ及びＲＡＭから成り、デジタルカメラ１０３の動作プログラムが格納されるとともに演算の一時記憶を行う。カードドライバ１１５はメモリカード１１９をＣＰＵ１１０に認識させてデジタルカメラ１０３に接続可能にする。メモリカード１１９はスマートメディア（Ｒ）等から成り、デジタルカメラ１０３により撮影した画像データを保存する。
【００５０】
スイッチ１１６はデジタルカメラ１０３の背面側に設けられ、使用者の操作に応じた信号がＣＰＵ１１０に送られる。測距部１１７及び測光部１１８は被写体との距離や光量を検出する。レンズ駆動部１１３は測距部１１７の検知結果に基づいて撮影レンズ１０５を駆動する。絞り駆動部１１２は測光部１１８の検知結果に基づいて絞り１０６を駆動する。
【００５１】
これにより、ＣＣＤ駆動部１１１によって駆動されるＣＣＤ１０７上に被写体像が形成される。Ａ／Ｄ変換部１０９はアンプ１０８を介してＣＣＤ１０７に接続されている。ＣＣＤ１０７で受光した被写体像は電気信号に変換され、アンプ１０８により増幅してＡ／Ｄ変換部１０９でＡ／Ｄ変換される。
【００５２】
ＬＣＤ１２０はデジタルカメラ１０３のファインダー及び背面に設けられ、ＣＣＤ１０７で捉えた被写体像を視認可能にする。ＩｒＤＡ通信部１２３は、ＩｒＤＡ規格による赤外線通信の信号を通信する。無線ＬＡＮユニット１２１は無線ＬＡＮ規格によるネットワーク接続を行って無線通信を行う。
【００５３】
デジタルカメラ１０３の周辺機器１０２は、ＩｒＤＡ通信部１２３及び無線ＬＡＮユニット１２１と夫々通信を行うＩｒＤＡ通信部１３３及び無線ＬＡＮユニット１３２が設けられる。これにより、周辺機器１０２はデジタルカメラ１０３とネットワーク接続され、デジタルカメラ１０３の指示により本体部１３１が駆動されるとともに、本体部１３１の指示によりデジタルカメラ１０３が駆動されるようになっている。周辺機器１０２として、ストロボ、ＨＤＤ、キーボード、プリンタ、デジタルテレビ等が無線接続されている。
【００５４】
上記構成のデジタルカメラ１０３及び周辺機器１０２において、デジタルカメラ１０３の電源が入れられると、ＣＰＵ１１０により図７の動作プログラムが起動される。動作プログラムのステップ＃１０１ではイベントが発生するまで待機する。ユーザーによる所定の操作が行われるとイベントが発生して各イベントに応じた動作が行われる。
【００５５】
また、各周辺機器１０２の電源が入れられると、各周辺機器１０２に応じて図８〜図１２の動作プログラムが起動される。図８はストロボの動作を示している。ストロボの電源を入れると、ステップ＃２０１でパスワードが生成され、メモリ（不図示）に記憶される。パスワードは例えば乱数を発生してストロボに割り当てられたＩＰアドレスと組み合わせて生成される。ステップ＃２０２ではイベントが発生するまで待機する。ユーザーによる所定の操作が行われるとイベントが発生して各イベントに応じた動作が行われる。
【００５６】
図９はＨＤＤの動作を示している。上記と同様に、ＨＤＤの電源を入れると、ステップ＃３０１でパスワードを生成してメモリ（不図示）に記憶され、ステップ＃３０２でイベントが待機される。図１０はキーボードの動作を示している。同様に、キーボードの電源を入れると、ステップ＃４０１でパスワードを生成してメモリ（不図示）に記憶され、ステップ＃４０２でイベントが待機される。
【００５７】
図１１はプリンタの動作を示している。同様に、プリンタの電源を入れると、ステップ＃５０１でパスワードを生成してメモリ（不図示）に記憶され、ステップ＃５０２でイベントが待機される。図１２はデジタルテレビの動作を示している。同様に、デジタルテレビの電源を入れると、ステップ＃６０１でパスワードを生成してメモリ（不図示）に記憶され、ステップ＃６０２でイベントが待機される。
【００５８】
図７において、デジタルカメラ１０３側で登録のスイッチ１１６が操作されると、ステップ＃１１１に移行する。ステップ＃１１１では登録する周辺機器を選択する。ステップ＃１１２では登録する周辺機器に向けてシャッターをＯＮする。これにより、ステップ＃１１３でＩｒＤＡ通信部１２１から視野内の各周辺機器に対して赤外線によりパスワードの要求コマンドが送信される。
【００５９】
パスワードの要求コマンドは、例えば乱数を発生してデジタルカメラ１０３に割り当てられたＩＰアドレスと組み合わせて生成して送信される。また、赤外線の通信範囲はストロボの投光と同じように撮影範囲に限定され、ユーザの意図しない周辺機器にはパスワードの要求コマンドが到達しないようになっている。
【００６０】
各周辺機器はパスワードの要求コマンドを受信すると、図８〜図１２において夫々ステップ＃２０３、＃３０３、＃４０３、＃５０３、＃６０３に移行する。これらのステップで、各周辺機器は無線ＬＡＮ経由でパスワードをデジタルカメラ１０３のＩＰアドレスに送信する。指定されたＩＰアドレスにデータを送信するので、無線ＬＡＮで送信しても他人にデータを取得される危険が少なくなっている。デジタルカメラ１０３はステップ＃１０４でパスワードを受信すると、ステップ＃１１５でパスワードをメモリ１１４に保存してステップ＃１０１に戻る。
【００６１】
デジタルカメラ１０３によってストロボの発光を指示するスイッチ１１６を操作すると、ステップ＃１０１のイベント待機状態からステップ＃１２１に移行する。ステップ＃１２１では、発光を指示する発光信号とパスワードとを発光量や発光パターン等の発光データとともに無線ＬＡＮ経由でストロボのＩＰアドレスに送信して、ステップ＃１０１に戻る。
【００６２】
ストロボは発光信号を受信すると図８のステップ＃２０２からステップ＃２０４に移行し、受信したパスワードとメモリに保存されたパスワードを比較する。パスワードが一致するとステップ＃２０５に移行して受信した発光データに基づいて発光し、ステップ＃２０２に戻る。
【００６３】
デジタルカメラ１０３によってファイルの保存を指示するスイッチ１１６を操作すると、図７のステップ＃１０１のイベント待機状態からステップ＃１３１に移行する。ステップ＃１３１では、画像ファイルとパスワードとを無線ＬＡＮ経由でＨＤＤのＩＰアドレスに送信して、ステップ＃１０１に戻る。
【００６４】
ＨＤＤは画像ファイルを受信すると図９のステップ＃３０２からステップ＃３０４に移行し、受信したパスワードとメモリに保存されたパスワードを比較する。パスワードが一致するとステップ＃３０５に移行して受信した画像ファイルを保存し、ステップ＃３０２に戻る。
【００６５】
また、キーボードに入力が行われると、図１０においてステップ＃４０２からステップ＃４０４に移行する。ステップ＃４０４では入力されたキー信号とパスワードとを無線ＬＡＮ経由でデジタルカメラ１０３のＩＰアドレスに送信して、ステップ＃４０２に戻る。
【００６６】
デジタルカメラ１０３はキー信号を受信すると図７のステップ＃１０１からステップ＃１４１に移行する。ステップ＃１４１では、キー受付状態か否かが判断される。キー受付状態の時はステップ＃１４２で受信したキーボードのＩＰアドレスによって登録されている周辺機器か否かが判断される。キーボードが登録されている場合はステップ＃１４３で受信したパスワードとメモリ１１９に保存されたパスワードを比較する。パスワードが一致するとステップ＃１４４に移行してキー入力処理が行われ、ステップ＃１０１に戻る。
【００６７】
デジタルカメラ１０３によってファイルの印刷を指示するスイッチ１１６を操作すると、図７のステップ＃１０１のイベント待機状態からステップ＃１５１に移行する。ステップ＃１５１では、画像ファイルとパスワードとを無線ＬＡＮ経由でプリンタのＩＰアドレスに送信して、ステップ＃１０１に戻る。尚、送信前に画像ファイルはＰｏｓｔｓｃｒｉｐｔ等のプリンタ言語に変換される。
【００６８】
プリンタは画像ファイルを受信すると図１１のステップ＃５０２からステップ＃５０４に移行し、受信したパスワードとメモリに保存されたパスワードを比較する。パスワードが一致するとステップ＃５０５に移行して受信した画像ファイルを印刷し、ステップ＃５０２に戻る。
【００６９】
デジタルカメラ１０３によって画像データをデジタルテレビ等の外部表示装置に表示を指示するスイッチ１１６を操作すると、図７のステップ＃１０１のイベント待機状態からステップ＃１６１に移行する。ステップ＃１６１では、デジタルカメラ１０３の背面に設けられたＬＣＤ１２０の表示画像を例えばＪＰＥＧ形式に変換して画像ファイルを形成する。ステップ＃１６２では画像ファイルとパスワードとを無線ＬＡＮ経由でデジタルテレビのＩＰアドレスに送信して、ステップ＃１０１に戻る。
【００７０】
デジタルテレビは画像ファイルを受信すると図１２のステップ＃６０２からステップ＃６０４に移行し、受信したパスワードとメモリに保存されたパスワードを比較する。パスワードが一致するとステップ＃６０５に移行して受信した画像ファイルを画面に表示し、ステップ＃６０２に戻る。
【００７１】
本実施形態によると、デジタルカメラ１０３からＩｒＤＡ通信により送信されたパスワードの要求コマンドに基づいて周辺機器１０２からデジタルカメラ１０３のＩＰアドレスにパスワードが送信される。このため、壁等で遮蔽された隣室や屋外からパスワードの要求コマンドを送信しても周辺機器１０２は受信できずパスワードを発行しない。従って、周辺機器１０２を視野内に捉えることのできない者が外部から操作することができず、周辺機器１０２及びデジタルカメラ１０３のセキュリティを向上させることができる。
【００７２】
【発明の効果】
本発明によると、無線ＬＡＮ等の非光学的な第１無線通信手段によりネットワーク接続されるネットワーク装置により作成したパスワードが、可視光による投影や赤外線通信等の光学的に無線伝達する第２通信手段により伝達されるので、壁等を隔てた隣室や屋外からパスワードを傍受されず、ネットワーク装置のセキュリティを向上させることができる。
【００７３】
また本発明によると、赤外線等の光学的な第２通信手段により送信されたパスワードの要求コマンドに基づいてネットワーク装置から他のネットワーク装置のＩＰアドレスにパスワードが送信される。このため、壁等で遮蔽された隣室や屋外からパスワードの要求コマンドを送信してもネットワーク装置は受信できずパスワードを発行しない。従って、ネットワーク装置を視野内に捉えることのできない者が外部から操作することができず、ネットワーク装置のセキュリティを向上させることができる。
【図面の簡単な説明】
【図１】は、本発明の第１実施形態のネットワークプロジェクタを示す斜視図である。
【図２】は、本発明の第１実施形態のネットワークプロジェクタの構成を示すブロック図である。
【図３】は、本発明の第１実施形態のネットワークプロジェクタの動作を示すフローチャート図である。
【図４】は、本発明の第１実施形態のネットワークプロジェクタのプロジェクタ投影画面を示す図である。
【図５】は、本発明の第１実施形態のネットワークプロジェクタの暗号解除画面を示す図である。
【図６】は、本発明の第２実施形態のデジタルカメラ及び周辺機器の構成を示すブロック図である。
【図７】は、本発明の第２実施形態のデジタルカメラの動作を示すフローチャートである。
【図８】は、本発明の第２実施形態のストロボの動作を示すフローチャートである。
【図９】は、本発明の第２実施形態のＨＤＤの動作を示すフローチャートである。
【図１０】は、本発明の第２実施形態のキーボードの動作を示すフローチャートである。
【図１１】は、本発明の第２実施形態のプリンタの動作を示すフローチャートである。
【図１２】は、本発明の第２実施形態のデジタルテレビの動作を示すフローチャートである。
【符号の説明】
１　　ネットワークプロジェクタ
２　　プロジェクタ部
３　　書画カメラ
４　　操作部
１０、２１、１１０　ＣＰＵ
１４、１１４　メモリ
１９、１１９　メモリカード
２３、１２３、１３３　ＩｒＤＡ通信部
２４　　無線ＬＡＮカード
２５　　有線ＬＡＮカード
１０２　　周辺機器
１０３　　デジタルカメラ
１２１、１３２　無線ＬＡＮユニット
【図１】
2004118488.tif 000003
【図２】
2004118488.tif 000004
【図３】
2004118488.tif 000005
【図４】
2004118488.tif 000006
【図５】
2004118488.tif 000007
【図６】
2004118488.tif 000008
【図７】
2004118488.tif 000009
【図８】
2004118488.tif 000010
【図９】
2004118488.tif 000011
【図１０】
2004118488.tif 000012
【図１１】
2004118488.tif 000013
【図１２】
2004118488.tif 000014